(57)【特許請求の範囲】
【請求項１】
ＡＤＦ機能を有し、順番に並べられた一連の原稿を１つずつ取り込み、画像読取部に送り出し、当該画像読取部が前記原稿の画像を読み取って画像データを生成する画像読取装置において、
前記原稿の分割数および分割パターンを含む分割エリア情報を記憶すると共に、読み飛ばしエリアが存在する原稿については、該原稿が前記画像読取部に送り出される順番を示す番号と前記読み飛ばしエリアとを対応付けて記憶する設定情報記憶部と、
前記原稿の一面を前記分割数および前記分割パターンで分割して前記分割数分の分割エリアを設定し、前記設定情報記憶部に記憶された番号の原稿の読み飛ばしエリアと、当該読み飛ばしエリアと原稿面上の位置が同じ前記分割エリアとを対応付ける読み飛ばし設定部と、
前記画像読取部に送り出される原稿をカウントし、そのカウント値と、前記設定情報記憶部に記憶された番号とが一致したとき、前記原稿の読み飛ばしエリアの位置と対応付けられた前記分割エリアを、前記画像読取部に読み飛ばさせる読取制御部と
を備えることを特徴とする画像読取装置。
【請求項２】
前記読取制御部は、
前記カウント値と、前記設定情報記憶部に記憶された番号とが一致したとき、前記原稿の読み飛ばしエリアの位置と対応付けられていない前記分割エリアを、前記画像読取部に読み取らせることを特徴とする請求項１に記載された画像読取装置。
【請求項３】
前記読取制御部は、
前記カウント値と、前記設定情報記憶部に記憶された番号とが一致しないとき、前記画像読取部に送り出される原稿の全面を、前記画像読取部に読み取らせることを特徴とする請求項１または請求項２に記載された画像読取装置。
【請求項４】
前記画像読取部が順番に原稿を読み取って生成した一連の画像データを取得して、前記分割数分の分割エリアの位置に、前記一連の画像データを順番に対応付けて配置し、前記原稿を編集する編集部をさらに備えることを特徴とする請求項１乃至請求項３の何れか一項に記載された画像読取装置。
【請求項５】
外部装置とネットワークを介して通信可能に接続する通信部と、
前記編集部が編集した編集後原稿画像データを添付して、前記外部装置のメールアドレスを宛先にした電子メールを生成する電子メール生成部と、
前記通信部に前記電子メールを送信させる通信制御部とを備えることを特徴とする請求項４に記載された画像読取装置。
【請求項６】
ＡＤＦ機能を有し、順番に並べられた一連の原稿を１つずつ取り込み、画像読取部に送り出し、当該画像読取部が前記原稿の画像を読み取って画像データを生成する画像読取装置において、
読み飛ばしエリアが存在する原稿については、前記原稿に対して前記画像読取部に送り出す順番の番号と前記読み飛ばしエリアとを対応付けて記憶する設定情報記憶部と、
前記画像読取部に送り出される原稿をカウントし、そのカウント値と、前記設定情報記憶部に記憶された番号とが一致したとき、当該原稿の前記読み飛ばしエリアを、前記画像読取部に読み飛ばさせる読取制御部と
を備えることを特徴とする画像読取装置。
【発明の詳細な説明】
【技術分野】
【０００１】
本発明は、ＡＤＦ機能を有する画像読取装置に関し、特に、原稿を読み取る際に、複数のエリアに分割されたエリアを順番に読み取る技術に関する。
【背景技術】
【０００２】
従来、ＡＤＦ（Auto Document Feeder）機能を有する画像読取装置は、原稿載置トレイに積まれた一連の原稿を、ユーザによる操作（読取開始のスタートボタン押下）に応じて順番に１枚ずつ画像読取装置の内部に取り込み、原稿の全面を読み取って、画像データを生成すると共に、原稿を画像読取装置の外部に排出した。
【０００３】
また、原稿を読み取って画像データを生成後、ユーザが予め設定したメールアドレスを宛先とする電子メールを作成し、その電子メールに画像データを添付し、電子メールを送信する画像読取装置があった（特許文献１）。
【先行技術文献】
【特許文献】
【０００４】
【特許文献１】特開２００８−７９０９２号公報
【発明の概要】
【発明が解決しようとする課題】
【０００５】
しかしながら、原稿の中には、例えば原稿の余白部分や広告などのユーザが希望しなかったり、必要としなかったりする領域（エリア）を含む場合がある。このような原稿を含む場合であっても、ＡＤＦ機能を有する従来の画像読取装置は、それぞれの原稿の全面を読み取って画像データを生成した。
このように、必要のないエリアの読み取りを行うため、全ての原稿を画像データ化したときにデータサイズが大きくなるという問題があった。
【０００６】
本発明は、以上のような問題を解決するためになされたものであり、原稿から必要なエリアの画像を読み取る画像読取装置を提供することを課題とする。
【課題を解決するための手段】
【０００７】
前記課題を解決するために、本発明の画像読取装置は、ＡＤＦ機能を有し、順番に並べられた一連の原稿を１つずつ取り込み、画像読取部に送り出し、当該画像読取部が前記原稿の画像を読み取って画像データを生成する画像読取装置において、前記原稿の分割数および分割パターンを含む分割エリア情報を記憶すると共に、読み飛ばしエリアが存在する原稿については、該原稿が前記画像読取部に送り出される順番を示す番号と前記読み飛ばしエリアとを対応付けて記憶する設定情報記憶部と、前記原稿の一面を前記分割数および前記分割パターンで分割して前記分割数分の分割エリアを設定し、前記設定情報記憶部に記憶された番号の原稿の読み飛ばしエリアと、当該読み飛ばしエリアと原稿面上の位置が同じ前記分割エリアとを対応付ける読み飛ばし設定部と、前記画像読取部に送り出される原稿をカウントし、そのカウント値と、前記設定情報記憶部に記憶された番号とが一致したとき、前記原稿の読み飛ばしエリアの位置と対応付けられた前記分割エリアを、前記画像読取部に読み飛ばさせる読取制御部とを備える構成とした。
【０００８】
本発明の画像読取装置によれば、予め設定した不要な読み飛ばしエリアを読み飛ばし、その読み飛ばしたエリアを削除したページに再構成する。
また、本発明の画像読取装置によれば、原稿から必要なエリアの画像だけを読み取るため、原稿の必要なエリアだけの画像データが生成される。
【発明の効果】
【０００９】
本発明によれば、読み飛ばしにより、読み取り後の画像データのサイズを小さくすることができるため、画像データが記憶されるメモリ等のリソースの節約をすることができる。
また、原稿を読み取った後、画像データ化するまでの時間も短縮することができる。特に、ＡＤＦ機能を用いて複数枚の原稿を読み取らせたときに、全ての原稿を画像データ化するまでの時間を大幅に短縮することができる。
【図面の簡単な説明】
【００１０】
【図１】本発明に係る画像読取装置を含む画像データ送信システムの全体構成図である。
【図２】本発明に係る画像読取装置の全体構成図である。
【図３】本発明に係る画像読取装置の構成を示すブロック図である。
【図４】本発明に係る画像読取装置が備えるコントロールパネルの構成を示す図である。
【図５】読み飛ばしエリアを設定するまでの画面遷移図である。
【図６】メール送信先設定画面の一例である。
【図７】画像設定確認画面６２Ａ（ＳｃａｎＮｏｒｍａｌモード）の一例である。
【図８】画像設定確認画面６２Ｂ（ＳｃａｎＳｋｉｐモード）の一例である。
【図９】画像設定確認画面６２Ｃ（ＳｃａｎＡｒｅａモード）の一例である。
【図１０】画像設定確認画面６２Ｄ（ＳｃａｎＭｏｄｅプルダウンキーのプルダウン表示）の一例である。
【図１１】読取条件設定画面６３Ａ（ＳｃａｎＮｏｒｍａｌモード）の一例である。
【図１２】読取条件設定画面６３Ｂ（ＳｃａｎＳｋｉｐモード）の一例である。
【図１３】読取条件設定画面６３Ｃ（図１２のＳｃａｎＭｏｄｅ変更キー押下後）の一例である。
【図１４】読取条件設定画面６３Ｄ（図１２の用紙セット方向変更キー押下後）の一例である。
【図１５】読取条件設定画面６３Ｅ（図１２の分割数変更キー押下後）の一例である。
【図１６】ＳｃａｎＳｋｉｐエリア指定ポップアップ画面６３Ｆ（図１２のＳｋｉｐＡｒｅａ変更キー押下後）の一例である。
【図１７】読取条件設定画面６３Ｇ（読み飛ばしページ追加）の一例である。
【図１８】本発明に係る画像読取装置の読み飛ばし設定処理動作のフローチャートである。
【図１９】図１８に続く本発明に係る画像読取装置の読み飛ばし設定処理動作のフローチャートである。
【図２０】図１９に続く本発明に係る画像読取装置の読み飛ばし設定処理動作のフローチャートである。
【図２１】本発明に係る画像読取装置の読み飛ばし編集処理動作のフローチャートである。
【図２２】設定情報記憶部に記憶される設定情報の一例である。
【図２３】電子メールに添付されるテキストデータの一例である。
【図２４】読取条件設定画面６３Ｂａ（ＳｃａｎＳｋｉｐモード）の一例である。
【図２５】ＳｃａｎＳｋｉｐエリア指定ポップアップ画面６３Ｆａ（読み飛ばしページ追加）の一例である。
【図２６】読取条件設定画面６３Ｇａ（図１２のＡｄｄキーを押下して３つの設定を行った後）の一例である。
【発明を実施するための形態】
【００１１】
以下、図面を参照して、本発明の実施の形態（以下、「本実施形態」と称する）につき詳細に説明する。なお、各図は、本発明について概略的に示してあるに過ぎない。よって、本発明は、図示例のみに限定されるものではない。また、各図において、共通する構成要素や同様な構成要素については、同一の符号を付し、それらの重複する説明を省略する。
【００１２】
［画像データ送信システム］
図１に示すように、画像データ送信システム１は、画像読取装置２と、外部装置３とを備え、画像読取装置２は、外部装置３とネットワーク４とを介して、通信可能に接続される。
この画像データ送信システム１を利用することで、画像読取装置２に原稿を読み取らせた画像データを、電子メール等の送信手段を用いて、外部装置３に送信させる。これにより、ユーザは読み取られた原稿の画像を外部装置３にて視認することができる。
【００１３】
画像読取装置２については、詳細についてを後記する。
外部装置３は、例えば、ＰＣ（Personal Computer）であり、ＬＣＤ等の画面表示部を備え、ネットワーク４を介して受信した電子メールに添付された画像データを処理して、画像を画面表示部の画面に表示する。
【００１４】
ネットワーク４は、例えば、有線／無線ＬＡＮ（Local Area Network）やＷＡＮ（Wide Area Network）等を介して、インターネットプロトコル（Internet Protocol）技術を利用して相互接続されるコンピュータネットワークである。また、ＬＡＮ以外にも、ZigBee（登録商標）やBluetooth（登録商標）等であってもよい。
【００１５】
［画像読取装置２］
画像読取装置２について説明する。
図２に示すように、画像読取装置２は、原稿載置トレイ１１と、原稿取込部１２と、画像読取部１３と、スタッカ１４と、表示入力部２５（タッチパネル４１、コントロールパネル４２）とを備える。
原稿取込部１２が、原稿載置トレイ１１に順番に積み上げられた原稿の束から、順番に１枚ずつ画像読取装置２の内部に取り込む。画像読取装置２の内部にて、画像読取部１３は取り込まれた原稿を読み取って画像データを生成する。そして、原稿をスタッカ１４に排出する。
表示入力部２５は、タッチパネル４１とコントロールパネル４２とで構成され、ユーザが視認可能な情報を表示する表示機能と、ユーザからの要求を受け付ける入力機能とを備える。この要求に応じて画像読取装置２は内部で処理を行う。表示入力部２５の詳細については後記する。
【００１６】
（画像読取装置の構成）
図３に示すように、画像読取装置２は、画像読取部１３と、制御部２１と、記憶部２３と、表示入力部２５と、駆動部２６と、残原稿検知部２７と、通信部２８と、画像形成部２９とを備える。
【００１７】
（画像読取部１３）
画像読取部１３は、原稿取込部１２（図２）が取り込んだ原稿の一面を読み取って、画像データを生成する構成部である。この画像読取部１３は、制御部２１（後記する読取制御部２１５）により制御され、原稿を読み取る際のモノクロ／カラー、解像度等が指定されて、原稿読取面に載置された原稿の一面を読み取る。そして、画像読取部１３は、原稿を読み取って生成した画像データを記憶部２３（後記する画像データ記憶部２３３）に記憶させる。
この画像読取部１３は、原稿を読み取るときに、制御部２１（読取制御部２１５）により読み取り機能のオン／オフが制御される。そのため、読み取り機能がオフにされた状態の画像読取部１３を通過した原稿の箇所（読み飛ばしエリア）は、読み飛ばされることになる。
【００１８】
（制御部２１）
制御部２１は、画像読取装置２の全体を制御する構成部であり、例えば、ＣＰＵ（Central Processing Unit）で構成される。画像読取装置２が備える各構成部の制御部としての機能は、ＣＰＵが記憶部２３に格納されるプログラム（不図示）を展開し、実行することによって実現される。
この制御部２１は、設定入力処理部２１１と、画面制御部２１２と、駆動制御部２１３と、読み飛ばし設定部２１４と、読取制御部２１５と、編集部２１６と、ファイル生成部２１７と、電子メール生成部２１８と、通信制御部２１９とを備える。制御部２１が備えるこれらの構成部の詳細については後記する。
【００１９】
（記憶部２３）
記憶部２３は、データやプログラムを記憶する構成部であり、例えば、ＨＤ（Hard Disc）、ＲＡＭ（Random Access Memory）、光ディスク等の記憶手段である。
この記憶部２３は、設定情報記憶部２３１と、デフォルト情報記憶部２３２と、画像データ記憶部２３３と、ファイル記憶部２３４と、メールアドレス記憶部２３５とを備える。これら構成部の詳細については後記する。
【００２０】
（表示入力部２５）
表示入力部２５は、ユーザが視認可能な情報を表示する表示部の機能と、ユーザからの要求を受け付ける入力部の機能とを兼ね備える構成部である。表示入力部２５は、入力されたデータを制御部２１（設定入力処理部２１１）に出力し、制御部２１（画面制御部２１２）から指示された画面データを表示する。この表示入力部２５の詳細については後記する。
【００２１】
（駆動部２６）
駆動部２６は、図２で示した原稿取込部１２を含む画像読取装置２が備えるモータ等の駆動機構である。駆動部２６は、制御部２１（駆動制御部２１３）からの指示に応じて、例えば、画像読取装置２の内部に備えられたローラを回転させ、原稿を搬送する。
【００２２】
（残原稿検知部２７）
残原稿検知部２７は、原稿載置トレイ１１に原稿があるか否かを検知する構成部である。残原稿検知部２７は、原稿が取り込まれて原稿載置トレイ１１に原稿がなくなったことを検知したときに、制御部２１（読取制御部２１５）に原稿取込完了信号を出力する。
【００２３】
（通信部２８）
通信部２８は、ネットワーク４と接続するインタフェースであり、制御部２１に制御されて、外部装置３（図１）と通信可能に接続し、データの送受信を行う構成部である。
【００２４】
（画像形成部２９）
画像形成部２９は、現像装置、露光装置、感光ドラム、現像ローラ、転写ローラ、定着部などを備え、ＣＰＵ（制御部２１）に制御されて、用紙などの媒体上に画像を形成（印刷）する構成部である。画像形成部２９は、内部に備える駆動部（各種ローラやベルト）を駆動することで、給紙カセットに載置された媒体を搬送する。画像形成部２９は、制御部２１による画像処理後の画像データに基づき露光装置が感光ドラムに静電潜像を形成し、現像ローラから電界の力によってトナーを移動して、静電潜像にトナーを付着させたトナー画像を形成する。感光ドラムに形成されたトナー画像を転写ローラで媒体に転写し、定着器（ヒータ）を用いて媒体上にトナー画像を加熱定着して、画像を媒体上に形成（印刷）し、その媒体を排紙トレイに排出する。これにより、ユーザは、画像読取装置２から排出された媒体（印刷物）を回収することができる。
【００２５】
《制御部２１》
制御部２１が備える各構成について説明する。
【００２６】
（設定入力処理部２１１）
設定入力処理部２１１は、表示入力部２５に入力されたデータに基づいて処理を行う構成部である。この設定入力処理部２１１は、入力データを記憶部２３（後記する設定情報記憶部２３１）に記憶させたり、画面制御部２１２に画面データの生成を要求したり、スキャン実行指示（ＳＴＡＲＴキー４５（図４））が入力されたときに、読み飛ばし設定部２１４に処理を実行させる。
【００２７】
（画面制御部２１２）
画面制御部２１２は、設定入力処理部２１１からの指示に応じて、画面データを生成し、表示入力部２５に表示させる構成部である。
【００２８】
（駆動制御部２１３）
駆動制御部２１３は、駆動部２６を制御する構成部である。
この駆動制御部２１３は、駆動部２６が備えるモータ等を制御して、原稿取込部１２や画像読取装置２の内部のローラ等（不図示の搬送ローラ等）を駆動させて、原稿載置トレイ１１から原稿を内部に取り込み、画像読取部１３に送り出し、その後、スタッカ１４へ排出させる。
【００２９】
この駆動制御部２１３は、設定情報記憶部２３１に記憶された設定情報（片面／両面）に基づき、駆動部２６を制御して、画像読取部１３に原稿を送り出す。このとき、設定情報が「片面」であれば、駆動制御部２１３は、原稿の一面（表面）を画像読取部１３に送り出した後、スタッカ１４へ排出させる。一方、設定情報が「両面」であれば、駆動制御部２１３は、原稿の一面（表面）を画像読取部１３に送り出した後、搬送ローラ（不図示）等の駆動部２６を制御して原稿を裏返す。そして駆動制御部２１３は、裏返した原稿の一面（裏面）を画像読取部１３に送り出した後、スタッカ１４へ排出させる。
【００３０】
（読み飛ばし設定部２１４）
読み飛ばし設定部２１４は、設定情報記憶部２３１に記憶された設定情報に基づき、原稿のページ番号に対応付けて、読み飛ばし設定を行う構成部である。
この読み飛ばし設定部２１４は、設定情報記憶部２３１に記憶された設定情報を取得して、用紙セット方向、分割数、読取順番等の情報に基づき、原稿の一面に対して、分割数分のスキャンエリアと、それらスキャンエリアの読取順番とを設定する。
【００３１】
ここで、本実施形態における画像読取装置が備える読み飛ばし設定部２１４は、各スキャンエリアを読取順番で読み取るための基本スキャンページ設定情報を生成する。
さらに、読み飛ばし設定部２１４は、設定情報記憶部２３１の設定情報に、読み飛ばし対象のページ番号が記憶されていれば、その読み飛ばし対象のページ番号の読み飛ばしページ設定情報を生成する。この読み飛ばしページ設定情報は、基本スキャンページ設定情報をベースに生成するものであり、設定情報記憶部２３１において、読み飛ばし対象ページ番号と対応付けて記憶された読み飛ばしエリアと、原稿面の位置が一致する基本スキャンページ設定情報のスキャンエリアを読み飛ばしエリアとして設定したものである。
そして、読み飛ばし設定部２１４は、基本スキャンページ設定情報と、読み飛ばし対象ページ番号それぞれの読み飛ばしページ設定情報とを設定情報記憶部２３１に記憶させる。
【００３２】
例えば、用紙セット方向が「ＳＥＦ（Short Edge Feed）」、分割数が「２Ｕｐ」であれば、読み飛ばし設定部２１４は、原稿面の上半分と下半分との２つのスキャンエリアを設定し、読取順番を１番目が上半分のスキャンエリア、２番目が下半分のスキャンエリアに設定する。そして、設定情報記憶部２３１に記憶された読み飛ばしエリアが「Ｌｏｗｅｒ」であれば、下半分のスキャンエリアを読み飛ばしエリアとして設定する。
【００３３】
（読取制御部２１５）
読取制御部２１５は、設定情報記憶部２３１に記憶された設定情報に基づいて、読取処理を実行し、画像読取部１３を制御して原稿を読み取らせる構成部である。
【００３４】
この読取制御部２１５は、駆動制御部２１３が駆動部２６に、原稿の一面を画像読取部１３に送り出す制御を行う回数をカウントする。例えば、この読取制御部２１５は、駆動制御部２１３が駆動部２６に行った制御に基づき、原稿の表面を画像読取部１３に送り出す制御をしたときに１カウントし、そして、その原稿の裏返す動作をして裏面を画像読取部１３に送り出す制御をしたときに１カウントする。
【００３５】
そして、読取制御部２１５は、カウント数が、設定情報記憶部２３１に記憶された（読み飛ばし対象の）ページ番号と一致するか否かの判定を行う。カウント数がページ番号と一致したとき、読取制御部２１５は、カウントした原稿（駆動部２６が画像読取部１３へ搬送中の原稿）の一面を読み飛ばし対象のページであると判断する。
【００３６】
読取制御部２１５は、設定情報記憶部２３１に記憶された設定情報に基づいて、画像読取部１３を制御して原稿を読み取らせる構成部である。ここで設定情報とは、基本スキャンページ設定情報、読み飛ばしページ設定情報、ＣｏｌｏｒＭｏｄｅ（モノクロ／カラー）、Ｒｅｓｏｌｕｔｉｏｎ（解像度）等である。
【００３７】
読取制御部２１５は、画像読取部１３を制御して原稿を読み取らせる際に、読み飛ばしエリアを読み取らないように、画像読取部１３の読取機能のＯＮ／ＯＦＦを制御する。これにより、画像読取部１３は、原稿の該当する読み飛ばしエリアを読み飛ばすことができ、読み飛ばしエリア以外の原稿のエリアを読み取った画像データを生成することができる。
ここで、読取制御部２１５は、原稿の該当する読み飛ばしエリアを読み飛ばしたとき、その読み飛ばしエリアのサイズの無意味な画像データ（例えば、一面が白色の白画像データ）を生成する。
【００３８】
そして、読取制御部２１５は、生成した画像データ（読み飛ばしエリア以外の原稿のエリアを読み取った画像データと、読み飛ばしエリアを読み飛ばした際に生成した白画像データ）を順番に一連の画像データとして画像データ記憶部２３３に記憶させる。
読取制御部２１５は、残原稿検知部２７から原稿取込完了信号を受信していれば、読取処理を終了し、編集部２１６に処理を移行する。
【００３９】
このように、読み飛ばしエリアを白画像データとすることで、読み飛ばしエリアを読み飛ばさずに読み取った画像データよりも、データ量を抑えることができる。これは、白紙を読み取ったとしても、その白紙の画像データは真っ白ではなく、画像読取装置２の内部の読み取り面上のゴミなどを読み取った黒点があるためにデータ量が増えてしまうためである。
【００４０】
また、ページを読み飛ばした場合、原稿の落丁や、原稿取込部１２より原稿が複数枚同時に取り込まれる（重送）ことによるページの欠落などが発生した場合と区別することができない。そこで、読み飛ばし対象のページを読み飛ばす代わりに白画像データを生成することで、ページ抜けと誤認されることを避けることができる。
【００４１】
また、原稿に、見開き構成（２ページ）で１枚の画像が形成される箇所がある場合に、その前のページで読み飛ばし対象のページがあることで、見開きページの構成がずれてしまうことがある。そこで、読み飛ばし対象のページを読み取る代わりに白画像データを生成することで、見開きページがずれることを防ぐことができる。特に、見開きページがずれたファイルデータ（一連の画像データ）を印刷した時に、見開きページが紙の裏面および表面に印刷されることを防ぐことができる。
【００４２】
（編集部２１６）
編集部２１６は、まず、設定情報記憶部２３１に記憶された設定情報を取得して、それから画像データ記憶部２３３に記憶された一連の画像データを取得し、設定情報に基づいて一連の画像データを編集する構成部である。
さらに、編集部２１６は、画像データ記憶部２３３に記憶された一連の画像データから白画像データを削除して、一連の画像データを再構成する。
【００４３】
（ファイル生成部２１７）
ファイル生成部２１７は、一連の画像データを、設定情報記憶部２３１に記憶されたファイル形式に基づき、ファイルデータにする構成部である。例えば、ＰＤＦやＴＩＦＦ等のファイルデータを生成し、ファイル記憶部２３４に一旦記憶させる。
【００４４】
（電子メール生成部２１８）
電子メール生成部２１８は、設定情報記憶部２３１に記憶されたメール送信宛先情報に基づき、電子メールを生成し、ファイル記憶部２３４に記憶されたファイルデータを添付して、通信制御部２１９に出力する。
【００４５】
（通信制御部２１９）
通信制御部２１９は、通信部２８を制御して、ネットワーク４を介して接続先と通信を行う構成部である。ここで通信制御部２１９は電子メールを送信する。
【００４６】
《記憶部２３》
記憶部２３が備える各構成について説明する。
設定情報記憶部２３１は、設定入力処理部２１１からのデータを記憶する記憶部である。
デフォルト情報記憶部２３２は、初期値の設定情報を記憶する記憶部である。分割パターンや分割数等の選択可能な設定情報が記憶されている。
画像データ記憶部２３３は、画像読取部１３が原稿を読み取って生成した画像データを記憶する記憶部である。
ファイル記憶部２３４は、ファイル生成部２１７が生成したファイルデータを記憶する記憶部である。
メールアドレス記憶部２３５は、メールアドレスを記憶する記憶部である。
【００４７】
《読み飛ばしエリアの設定》
まず、ユーザが表示入力部２５を操作して、読み飛ばしエリアを設定するまでの手順について図５〜図１７を用いて説明する。図５は読み飛ばしエリアを設定するまでの画面遷移図である。
【００４８】
（表示入力部２５の構成）
表示入力部２５は、図２に示すように、ＬＣＤ（Liquid Crystal Display）のような表示機能とタッチパッドのような位置入力機能との双方を兼ね備えたタッチパネル４１と、ボタンやテンキー等のコントロールパネル４２とで構成される。
【００４９】
タッチパネル４１には、当該タッチパネル４１やコントロールパネル４２にユーザにより入力された情報に応じて、画面制御部２１２により、後記する画面（図６〜図１７）が表示される。
【００５０】
コントロールパネル４２は、ファンクションキー４３（ＣＯＰＹキー４３１、ＳｃａｎＴｏＥｍａｉｌキー４３２、ＳｃａｎＴｏＮｅｔＷｏｒｋキー４３３、ＳｃａｎＴｏＭａｉｌＢｏｘキー４３４）と、テンキー４４と、ＳＴＡＲＴキー４５と、ＳＴＯＰキー４６と、ＲＥＳＥＴキー４７と、Ｉｎｔｅｒｒｕｐｔキー４８と、ＰｏｗｅｒＳａｖｅキー４９と、ＨＥＬＰキー５０と、ＳｅｔＵｐキー５１とを備える。
【００５１】
ファンクションキー４３は、画像読取装置２が有する機能を、画像読取装置２に実行させるモードへ移行するための４つのキーで構成される。ＣＯＰＹキー４３１は、コピー機能を実行するコピーモードに移行するためのキーであり、ＳｃａｎＴｏＥｍａｉｌキー４３２は、スキャンした画像データを電子メールを用いてのデータ送信機能を実行するメール送信モードヘ移行するためのキーであり、ＳｃａｎＴｏＮｅｔＷｏｒｋキー４３３は、ローカルネットワークを介してのデータ送信機能を実行するローカルネットワーク送信モードヘ移行するためのキーであり、ＳｃａｎＴｏＭａｉｌＢｏｘキー４３４は、画像データを一時的に保存する機能を実行するメールボックス保存モードへ移行するためのキーである。
【００５２】
テンキー４４は、０〜９の数字キーと、小数点キーと、クリアキー（Ｃ）とで構成され、例えば、コピー部数や拡大倍率指定、解像度等の数値を入力するときに用いるキーである。
ＳＴＡＲＴキー４５は、実行開始トリガとなるキーである。ＳＴＯＰキー４６は、実行停止トリガとなるキーである。ＲＥＳＥＴキー４７は、入力した数値や入力設定した情報をリセットして、デフォルトに戻すキーである。
Ｉｎｔｅｒｒｕｐｔキー４８は、インタラプトモードヘ移行するためのキーである。ＰｏｗｅｒＳａｖｅキー４９は、パワーセーブモードヘ移行するためのキーである。ＨＥＬＰキー５０は、タッチパネル４１にヘルプ画面を表示させるためのキーである。ＳｅｔＵｐキー５１は、タッチパネル４１にセットアップ画面を表示させるためのキーである。
【００５３】
コピーモードに移行した画像読取装置２は、画像読取部１３が原稿を読み取り（スキャンし）、読み取った画像を画像形成部２９が用紙に印刷（コピー）する。
メール送信モードに移行した画像読取装置２は、画像読取部１３が原稿を読み取り（スキャンし）、読み取った画像を電子メールに添付し、指定されたメールアドレスの宛先に送信する。
ローカルネットワーク送信モードに移行した画像読取装置２は、ユーザが表示入力部２５を操作して、ＬＡＮなどのローカルネットワーク回線で接続された不図示のファイルサーバのフォルダを送信先に指定して画像読取処理を実行させる（ＳＴＡＲＴキー４５を押下する）ことで、画像読取部１３に原稿を読み取らせ、読み取った画像データをファイルサーバのフォルダに記憶させる。
ここで、ローカルネットワーク送信モードに移行した場合において、画像読取部１３に原稿を読み取らせ、編集部２１６が一連の画像データを編集した後、ファイルサーバのフォルダに記憶させてもよい。
【００５４】
メールボックス保存モードに移行した画像読取装置２は、画像読取部１３が原稿を読み取り（スキャンし）、読み取った画像をメール送信用に保存する。
インタラプトモードに移行した画像読取装置２は、現在行っている動作を中断して、入力された指示を実行した後で、中断していた処理を続行する。
パワーセーブモードに移行した画像読取装置２は、ヒータを有する定着器（不図示）への電力供給を遮断する等して、画像読取装置２の消費電力量を低減する。
【００５５】
（メール送信先設定画面６１）
まず、ユーザは、ＳｃａｎＴｏＥｍａｉｌキー４３２（図４）を押下して、タッチパネル４１（図２）に、メール送信先設定画面６１（図６）を表示させる。
図６に示すメール送信先設定画面６１は、電子メールの送信先を設定するための画面である。このメール送信先設定画面６１にて、画像読取装置２が原稿を読み取って生成した画像データを、電子メールに添付して送信する送信先を設定する。
【００５６】
ＡｄｄｒｅｓｓＳｏｕｒｃｅ選択欄６１３０には、ＡｄｄｒｅｓｓＢｏｏｋキー６１３１と、ＳｏｆｔＫｅｙｂｏａｒｄキー６１３２とがあり、メールアドレスの入力方法を選択することができる。
ＡｄｄｒｅｓｓＢｏｏｋキー６１３１を選択することで、メール送信先設定画面６１には、後記するメールアドレス記憶部２３５に記憶されたメールアドレスの一覧が表示される。その一覧から選択したメールアドレスが、メールアドレス入力欄に表示される。
ＳｏｆｔＫｅｙｂｏａｒｄキー６１３２を選択することで、メール送信先設定画面６１にはキーボードが表示される。ユーザが画面上のキーをタッチすることで、メールアドレス入力欄に文字や数字を入力でき、送信先のメールアドレスを入力することができる。
【００５７】
Ｔｏタッチキー６１１１は、Ｔｏアドレス入力欄６１２１にメールアドレスを入力するためのキーである。Ｃｃタッチキー６１１２は、Ｃｃアドレス入力欄６１２２にメールアドレスを入力するためのキーである。Ｂｃｃタッチキー６１１３は、Ｂｃｃアドレス入力欄６１２３にメールアドレスを入力するためのキーである。
【００５８】
ここで、例えば、Ｔｏタッチキー６１１１を選択してから、ＡｄｄｒｅｓｓＢｏｏｋキー６１３１を選択することで、メール送信先設定画面６１にメールアドレスの一覧が表示される。この一覧から選択したメールアドレスが、Ｔｏアドレス入力欄６１２１に入力される。
また、例えば、Ｔｏタッチキー６１１１を選択してから、ＳｏｆｔＫｅｙｂｏａｒｄキー６１３２を選択することで、メール送信先設定画面６１にキーボードが表示される。それらキーをタッチしてメールアドレスを入力することで、メールアドレスがＴｏアドレス入力欄６１２１に入力される。
これらの入力方法は、Ｃｃタッチキー６１１２、Ｂｃｃタッチキー６１１３も同様である。
【００５９】
Ｓｕｂｊｅｃｔタッチキー６１１４は、Ｓｕｂｊｅｃｔ入力欄６１２４に件名を入力するためのキーである。Ｓｕｂｊｅｃｔタッチキー６１１４を選択することで、メール送信先設定画面６１にキーボードが表示される。それらキーをタッチして件名を入力することで、件名がＳｕｂｊｅｃｔ入力欄６１２４に入力される。
【００６０】
Ｒｅｓｏｌｕｔｉｏｎ表示キー６１４１は、原稿読み取り時の解像度を設定するためのキーである。そして、キーには、現在設定されている情報が表示される。
ＣｏｌｏｒＭｏｄｅ表示キー６１４２は、読み取り時の色（モノクロ／カラー）を設定するためのキーである。そして、キーには、現在設定されている情報が表示される。
ＦｉｌｅＦｏｒｍａｔ表示キー６１４３は、原稿を読み取り後のデータのファイル形式を設定するためのキーである。そして、キーには、現在設定されている情報が表示される。
Ｓｉｄｅｓ表示キー６１４４は、原稿を読み取る面（片面／両面）を設定するためのキーである。そして、キーには、現在設定されている情報が表示される。
ＳｃａｎＭｏｄｅ表示キー６１４５は、スキャンモードを選択するためのキーである。このスキャンモードには、ＳｃａｎＮｏｒｍａｌモードと、ＳｃａｎＳｋｉｐモードと、ＳｃａｎＡｒｅａモードとがある。そして、キーには、現在設定されている情報が表示される。
【００６１】
例えば、図６に示すように、現在、解像度が「２００ｄｐｉ」（Ｒｅｓｏｌｕｔｉｏｎ表示キー６１４１）、読み取り時の色が「Ｃｏｌｏｒ（カラー）」（ＣｏｌｏｒＭｏｄｅ表示キー６１４２）、ファイル形式が「ＰＤＦ」（ＦｉｌｅＦｏｒｍａｔ表示キー６１４３）、読み取る面が「Ｓｉｎｇｌｅ（片面）」（Ｓｉｄｅｓ表示キー６１４４）、スキャンモードが「ＳｃａｎＮｏｒｍａｌ」（ＳｃａｎＭｏｄｅ表示キー６１４５）に設定されていることが表示される。
【００６２】
そして、これら、Ｒｅｓｏｌｕｔｉｏｎ表示キー６１４１、ＣｏｌｏｒＭｏｄｅ表示キー６１４２、ＦｉｌｅＦｏｒｍａｔ表示キー６１４３、Ｓｉｄｅｓ表示キー６１４４、ＳｃａｎＭｏｄｅ表示キー６１４５のいずれか一つを選択することで、図７の画像設定確認画面６２Ａが表示される。
【００６３】
（画像設定確認画面６２）
図７〜図１０は、画像設定確認画面６２である。
図７は、ＳｃａｎＮｏｒｍａｌモードが設定されているときの画像設定確認画面６２Ａである。図８は、ＳｃａｎＳｋｉｐモードが設定されているときの画像設定確認画面６２Ｂである。図９は、ＳｃａｎＡｒｅａモードが設定されているときの画像設定確認画面６２Ｃである。図１０は、ＳｃａｎＭｏｄｅキーのプルダウンが表示されているときの画像設定確認画面６２Ｄである。
これら画面の相違点は、ＳｃａｎＭｏｄｅ表示欄６２２５の表示だけであるため、以下、代表して画像設定確認画面６２Ａについて説明する。
【００６４】
ＦｉｌｅＮａｍｅキー６２１１は、ファイルネーム表示欄６２１２にファイルネームを入力するためのキーである。ＦｉｌｅＮａｍｅキー６２１１を選択することで、画像設定確認画面６２Ａにキーボードが表示される。それらキーをタッチしてファイルネームを入力することで、ファイルネームがファイルネーム表示欄６２１２に入力される。
【００６５】
Ｒｅｓｏｌｕｔｉｏｎ表示欄６２２１には、現在設定されている原稿読み取り時の解像度が表示される。Ｒｅｓｏｌｕｔｉｏｎプルダウンキー６２３１を押下することで、選択設定可能な解像度の一覧が表示され、その一覧から１つを選択することで、選択した解像度がＲｅｓｏｌｕｔｉｏｎ表示欄６２２１に表示される。
【００６６】
ＣｏｌｏｒＭｏｄｅ表示欄６２２２には、現在設定されている読み取り時の色（モノクロ／カラー）が表示される。ＣｏｌｏｒＭｏｄｅプルダウンキー６２３２を押下することで、選択設定可能な読み取り時の色、つまり、モノクロ（Black-and-White）とカラー（Color）とが表示され、そのどちらか一方を選択することで、選択した方がＣｏｌｏｒＭｏｄｅ表示欄６２２２に表示される。
【００６７】
ＦｉｌｅＦｏｒｍａｔ表示欄６２２３には、現在設定されている原稿を読み取り後のデータのファイル形式が表示される。ＦｉｌｅＦｏｒｍａｔプルダウンキー６２３３を押下することで、選択設定可能なファイル形式の一覧、例えば、ＰＤＦやＴＩＦＦ等が表示される。その一覧から１つを選択することで、選択したファイル形式がＦｉｌｅＦｏｒｍａｔ表示欄６２２３に表示される。
【００６８】
Ｓｉｄｅｓ表示欄６２２４には、現在設定されている原稿を読み取る面（片面／両面）の情報が表示される。Ｓｉｄｅｓプルダウンキー６２３４を押下することで、選択設定可能な面、つまり、片面（Single）と両面（Both）とが表示され、そのどちらか一方を選択することで、選択した方がＳｉｄｅｓ表示欄６２２４に表示される。
【００６９】
ＳｃａｎＭｏｄｅ表示欄６２２５には、現在設定されているスキャンモードが表示される。図７に示す画像設定確認画面６２Ａは、スキャンモードに「ＳｃａｎＮｏｒｍａｌモード」が現在設定されていることが表示されている状態を示す。同様に、図８に示す画像設定確認画面６２Ｂでは、スキャンモードに「ＳｃａｎＳｋｉｐモード」が現在設定されていることが表示されている状態を示す。図９に示す画像設定確認画面６２Ｃでは、スキャンモードに「ＳｃａｎＡｒｅａモード」が現在設定されていることが表示されている状態を示す。
【００７０】
ＳｃａｎＭｏｄｅプルダウンキー６２３５を押下することで、図１０に示す画像設定確認画面６２Ｄのように、選択設定可能なスキャンモード一覧６２３５ａが表示される。この一覧から「ＳｃａｎＮｏｒｍａｌ」、「ＳｃａｎＳｋｉｐ」、「ＳｃａｎＡｒｅａ」のいずれか１つを選択することで、その選択に応じた読取条件設定画面６３（図１１〜図１７参照）がタッチパネル４１に表示される。
ここでは、「ＳｃａｎＮｏｒｍａｌ」を選択することで、図１１に示す読取条件設定画面６３Ａが表示される。また、「ＳｃａｎＳｋｉｐ」を選択することで、図１２に示す読取条件設定画面６３Ｂが表示される。
【００７１】
Ｃａｎｃｅｌキー６２４１は、画像設定確認画面６２Ａにおいて設定した内容をキャンセルして初期状態に戻すためのキーである。Ｃａｎｃｅｌキー６２４１が押下された後、１つ前の画面であるメール送信先設定画面６１（図６）に戻る。
【００７２】
ＯＫキー６２４２は、画像設定確認画面６２Ａにおいて設定した内容で確定するためのキーである。このＯＫキー６２４２が押下されると、スキャンを実行するように促す画面が表示される。ユーザが原稿を原稿載置トレイ１１（図２）にセットして、コントロールパネル４２のＳＴＡＲＴキー４５（図４）を押下することで、原稿の取り込みが行われ、ファイルネーム表示欄６２１２（図７）に表示されたファイル名が付けられて、ファイル記憶部２３４に記憶される。
【００７３】
（読取条件設定画面６３）
読取条件設定画面６３について、図１１〜図１７を用いて説明する。
図１１は、ＳｃａｎＮｏｒｍａｌモードが設定されているときの読取条件設定画面６３Ａである。図１２は、ＳｃａｎＳｋｉｐモードが設定されているときの読取条件設定画面６３Ｂある。図１３は、図１２の読取条件設定画面６３Ｂで、ＳｃａｎＭｏｄｅ変更キー６３２１が押下された後のウインドウを示す読取条件設定画面６３Ｃある。図１４は、図１２の読取条件設定画面６３Ｂで、用紙セット方向変更キー６３２２が押下された後のウインドウを示す読取条件設定画面６３Ｄある。図１５は、図１２の読取条件設定画面６３Ｂで、分割エリア変更キー６３２３が押下された後のウインドウを示す読取条件設定画面６３Ｅである。図１６は、図１２の読取条件設定画面６３Ｂで、ＳｋｉｐＡｒｅａ変更キー６３４５が押下された後にポップアップウインドウとして表示されるＳｃａｎＳｋｉｐエリア指定ポップアップ画面６３Ｆである。図１７は、図１２の読取条件設定画面６３Ｂで、Ａｄｄキー６３４６が押下された後のウインドウを示す読取条件設定画面６３Ｇである。
【００７４】
ここで、初期状態に戻す処理は次のように行われる。
例えば、図１２の読取条件設定画面６３ＢにおいてユーザがＣａｎｃｅｌキー６３３１を押下したとき、設定入力処理部２１１は、設定情報記憶部２３１に記憶された設定情報を消去して、デフォルト情報記憶部２３２に予め記憶された初期値の設定情報を、デフォルト情報記憶部２３２から取得して設定情報記憶部２３１に記憶させる。
【００７５】
図１１の読取条件設定画面６３Ａと図１２の読取条件設定画面６３Ｂとの相違点は、ＳｃａｎＭｏｄｅ表示欄６３１１における表示と、ウインドウ６３４０内のモード表示欄６３４１における表示である。
以下、図７の画像設定確認画面６２Ａにおいて、ＳｃａｎＭｏｄｅプルダウンキー６２３５が押下することで表示されるスキャンモード一覧６２３５ａ（図１０の画像設定確認画面６２Ｄ）から「ＳｃａｎＳｋｉｐ」を選択したことにより、図１２の読取条件設定画面６３Ｂが表示されたとして説明する。
【００７６】
（読取条件設定画面６３Ｂ）
ＳｃａｎＭｏｄｅ表示欄６３１１には、現在設定されているスキャンモードが表示される。図１２に示す読取条件設定画面６３Ｂは、スキャンモードが「ＳｃａｎＳｋｉｐモード」で現在設定されていることが表示されている状態を示す。
ＳｃａｎＭｏｄｅ変更キー６３２１を押下することで、ウインドウ６３４０にスキャンモードの一覧が選択可能に表示される（図１３の読取条件設定画面６３Ｃ）。例えば、図１３に示すように、ＳｃａｎＮｏｒｍａｌ選択キー６３５１、ＳｃａｎＳｋｉｐ選択キー６３５２、ＳｃａｎＡｒｅａ選択キー６３５３が表示される。これらからいずれか１つを選択することで、例えば、ＳｃａｎＮｏｒｍａｌ選択キー６３５１を選択することで、図１１に示す読取条件設定画面６３Ａが表示される。
【００７７】
用紙セット方向表示欄６３１２には、現在設定されている用紙セット方向が表示される。図１２に示す読取条件設定画面６３Ｂは、用紙セット方向が「ＳＥＦ」で現在設定されていることが表示されている状態を示す。
用紙セット方向変更キー６３２２を押下することで、ウインドウ６３４０に用紙セット方向の一覧が選択可能に表示される（図１４の読取条件設定画面６３Ｄ）。例えば、図１４に示すように、ＳＥＦ方向選択キー６３６１（縦送り、ＳＥＦ）、ＬＥＦ方向選択キー６３６２（横送り、ＬＥＦ（Long Edge Feed））が表示される。どちらか一方を選択することで、例えば、ＬＥＦ方向選択キー６３６２を選択することで、用紙セット方向表示欄６３１２が「ＬＥＦ」で表示される。
【００７８】
分割パターン表示欄６３１３には、現在設定されている分割数と分割パターンとが表示される。図１２に示す読取条件設定画面６３Ｂは、分割数が２であることを示す「２Ｕｐ」（原稿の一面を上下２分割することを示す。）が設定されている。
分割エリア変更キー６３２３を押下することで、ウインドウ６３４０に分割数の一覧が選択可能に表示される（図１５の読取条件設定画面６３Ｅ）。例えば、図１５に示すように、分割数が１の１Ｕｐキー６３７１、分割数が２の２Ｕｐキー６３７２、分割数が４の４Ｕｐキー６３７３、分割数が６の６Ｕｐキー６３７４が表示される。また、縦送り（ＳＥＦ）の場合と、横送り（ＬＥＦ）の場合とにおけるそれぞれの分割数で、用紙一面を分割するパターンが図示される。
【００７９】
また、ウインドウ６３４０には、Ｐｒｅｖキー６３７５と、Ｎｅｘｔキー６３７６と選択可能に表示される。
Ｎｅｘｔキー６３７６を押下することで、次の４つの分割数が選択可能に表示される。例えば、図１５に示す場合において、Ｎｅｘｔキー６３７６が押下されることで、ウインドウ６３４０には、８Ｕｐキー、１０Ｕｐキー、１２Ｕｐキー、１４Ｕｐキーが表示される。
一方、Ｐｒｅｖキー６３７５を押下することで、前の４つの分割数が選択可能に表示される。例えば、図１５では、Ｐｒｅｖキー６３７５は選択不可能に表示されているが（選択不可能な状態を破線で示す）、Ｎｅｘｔキー６３７６が押下された後のウインドウ６３４０（８Ｕｐキー、１０Ｕｐキー、１２Ｕｐキー、１４Ｕｐキーが表示されている状態）では、Ｐｒｅｖキー６３７５は選択可能に表示される。このときにＰｒｅｖキー６３７５を押下することで、前の４つの分割数である図１５に示すウインドウが表示される。
【００８０】
図１２に戻る。図１２に示す読取条件設定画面６３Ｂのウインドウ６３４０には、モード表示欄６３４１と、指定ページ表示欄６３４２と、指定ページ選択プルダウンキー６３４３と、ＳｋｉｐＡｒｅａ表示欄６３４４と、ＳｋｉｐＡｒｅａ変更キー６３４５と、Ａｄｄキー６３４６とが表示される。図１２において、モード表示欄６３４１には「ＳｃａｎＳｋｉｐ」が表示されており、すなわち、スキャンモードが「ＳｃａｎＳｋｉｐモード」で現在設定されていることを示す。
【００８１】
指定ページ表示欄６３４２には、読み飛ばすページ番号が表示される。ここで、「００ｐａｇｅ」は読み飛ばすページがないことを示している。指定ページ選択プルダウンキー６３４３を押下することで、選択設定可能なページ番号の一覧が表示され、その一覧から１つを選択することで、選択したページ番号が指定ページ表示欄６３４２に表示される。
【００８２】
ＳｋｉｐＡｒｅａ表示欄６３４４には、読み飛ばすページのエリア（読み飛ばしエリア）が表示される。ＳｋｉｐＡｒｅａ変更キー６３４５を押下することで、図１６のＳｃａｎＳｋｉｐエリア指定ポップアップ画面６３Ｆが表示される。この画面についての詳細は後記する。
【００８３】
Ａｄｄキー６３４６は、読み飛ばすページ番号を追加するためのキーである。Ａｄｄキー６３４６を押下することで、読み飛ばしページを指定する設定項目が１つ追加される。ここでは、指定ページ表示欄６３４２と、指定ページ選択プルダウンキー６３４３と、ＳｋｉｐＡｒｅａ表示欄６３４４と、ＳｋｉｐＡｒｅａ変更キー６３４５とが追加される。
【００８４】
Ｃａｎｃｅｌキー６３３１は、読取条件設定画面６３Ｂ（図１２）において設定した内容をキャンセルして初期状態に戻すためのキーである。ＯＫキー６３３２は、読取条件設定画面６３Ｂにおいて設定した内容で確定するためのキーである。そして、Ｃａｎｃｅｌキー６３３１およびＯＫキー６３３２が押下された後、メール送信先設定画面６１（図６）に戻る。
【００８５】
（ＳｃａｎＳｋｉｐエリア指定ポップアップ画面６３Ｆ）
図１６のＳｃａｎＳｋｉｐエリア指定ポップアップ画面６３Ｆには、読み飛ばしページ入力表示欄６３８１と、読み飛ばしページ選択プルダウンキー６３８２と、読み飛ばしエリア選択キー６３８３と、Ａｄｄキー６３８７とが表示される。
ここで、Ａｄｄキー６３８７は、図１２のＡｄｄキー６３４６と同様の機能なので説明を省略する。
【００８６】
ここで、読み飛ばしエリア選択キー６３８３（図１６）は、用紙セット方向がＳＥＦの場合と、用紙セット方向がＬＥＦの場合とで表示されるキーが異なる。
例えば、分割パターン表示欄６３１３が「２Ｕｐ」のときにおいて、用紙セット方向（用紙セット方向表示欄６３１２）が「ＳＥＦ」の場合、読み飛ばしエリア選択キー６３８３として、読み飛ばしエリアＬｏｗｅｒキー６３８４と、読み飛ばしエリアＵｐｐｅｒキー６３８５と、読み飛ばしエリアＢｏｔｈキー６３８６との３つのキーが選択可能に表示される。一方、用紙セット方向（用紙セット方向表示欄６３１２）が「ＬＥＦ」の場合は、読み飛ばしエリア選択キー６３８３として、読み飛ばしエリアＬｅｆｔキーと、読み飛ばしエリアＲｉｇｈｔキーと、読み飛ばしエリアＢｏｔｈキーとの３つのキーが選択可能に表示される。
【００８７】
これら読み飛ばしエリア選択キー６３８３のいずれか１つを選択することで、選択したエリアが図１２のＳｋｉｐＡｒｅａ表示欄６３４４に表示される。例えば、ＳｋｉｐＡｒｅａ変更キー６３４５を押下することで、読み飛ばすページのエリアとして、用紙セット方向表示欄６３１２が「ＳＥＦ」で分割パターン表示欄６３１３が「２Ｕｐ」の場合、選択可能な読み飛ばしエリア選択キー６３８３として、読み飛ばしエリアＬｏｗｅｒキー６３８４と、読み飛ばしエリアＵｐｐｅｒキー６３８５と、読み飛ばしエリアＢｏｔｈキー６３８６とが選択可能に表示される。
【００８８】
「Ｕｐｐｅｒ」を選択することで、ページの上半分が読み飛ばす範囲（エリア）として設定される。また、「Ｌｏｗｅｒ」を選択することで、ページの下半分が読み飛ばす範囲として設定され、「Ｂｏｔｈ」を選択することで、ページの全体を読み飛ばす範囲として設定される。
同様に、「Ｌｅｆｔ」を選択することで、ページの左半分が読み飛ばす範囲として設定される。また、「Ｒｉｇｈｔ」を選択することで、ページの右半分が読み飛ばす範囲として設定され、「Ｂｏｔｈ」を選択することで、ページの全てが読み飛ばす範囲として設定される。
【００８９】
（読取条件設定画面６３Ｇ）
図１７に示す読取条件設定画面６３Ｇは、Ａｄｄキー６３４６が２回押下されて、読み飛ばしページの追加設定がされた状態である。図１７に示す読取条件設定画面６３Ｇでは、ＳｋｉｐＡｒｅａ表示欄６３４４に示す○印は読み飛ばしエリアを示しており、２ページ目の下半分、４ページ目の上半分、５ページ目の全てを読み飛ばすことが設定されている。
【００９０】
以上のように画面遷移に従って入力することで、読み飛ばしページとそのエリアを設定することができる。
【００９１】
（動作の説明）
読み飛ばしページとそのエリアを設定した後、すなわち設定情報記憶部２３１に記憶されたデータに基づいて、画像読取装置２が行う読み飛ばし処理の動作について、図１８〜図２０のフローチャートを用いて説明する。
ここで、ユーザにより表示入力部２５が操作されて、読み飛ばしエリアの設定が行われて、その設定情報は設定情報記憶部２３１に記憶されている。
【００９２】
ユーザによりタッチパネル４１（図２）に表示された画像設定確認画面６２（図７、図８、図９）のＯＫキー６２４２が押下されて、現在、タッチパネル４１には、スキャンを実行するように促す画面（不図示）が表示された状態である。そして、ユーザにより、原稿載置トレイ１１（図２）には原稿がセットされている。
この状態において、ユーザによりコントロールパネル４２のＳＴＡＲＴキー４５（図４）が押下されたことにより、設定入力処理部２１１は、ＳＴＡＲＴキー４５の押下を検出し（ステップＳ１０１）、読み飛ばし設定部２１４に処理を実行させる。
【００９３】
（読み飛ばし設定処理）
読み飛ばし設定部２１４は、設定情報記憶部２３１から設定情報を取得する（ステップＳ１０２）。このとき、読み飛ばし設定部２１４は、設定情報として、用紙セット方向（ＳＥＦ／ＬＥＦ）および分割数（２Ｕｐ，４Ｕｐ，・・・）、読取順番を取得し、原稿の一面に対して分割数分のスキャンエリアと、その読取順番を設定する（ステップＳ１０３）。
そして、読み飛ばし設定部２１４は、それらの設定に基づき、基本スキャンページ設定情報を生成し（ステップＳ１０４）、設定情報記憶部２３１に記憶させる。
【００９４】
次に、読み飛ばし設定部２１４は、設定情報記憶部２３１に記憶されたデータを検索して（ステップＳ１０５）、読み飛ばし対象のページ番号があるか否かを判定する（ステップＳ１０６）。
一致するページ番号があれば（ステップＳ１０６，あり）、読み飛ばし設定部２１４は、読み飛ばし対象のページ番号に基づき、設定情報記憶部２３１から読み飛ばしエリアの情報を取得する（ステップＳ１０７）。
【００９５】
そして、読み飛ばし設定部２１４は、ステップＳ１０４で生成した基本スキャンページ設定情報を基に、原稿面上で位置が一致するスキャンエリアと読み飛ばしエリアとを対応付けた、ページ番号の読み飛ばしページ設定情報を生成し（ステップＳ１０８）、設定情報記憶部２３１に記憶させる。
そして、ステップＳ１０６に戻り、読み飛ばし設定部２１４は、他に読み飛ばし対象のページ番号があるか否かを判定する。
【００９６】
一方、ステップＳ１０６の判定にて、一致するページ番号がなければ（ステップＳ１０６，なし）、読取制御部２１５に読取処理を実行させる。
以上のステップＳ１０６〜ステップＳ１０８の処理により、原稿の構成をそのままに、読み飛ばしたい不要なエリアの情報が記憶される。この情報により、後記するステップＳ１１６（図１９）の処理にて、読取制御部２１５はそのエリアのサイズの白画像データを生成することができる。
【００９７】
（読取処理）
読取制御部２１５は、読取処理を実行開始する。
まず、読取制御部２１５は、駆動制御部２１３に駆動制御を実行させる。これにより、駆動制御部２１３に制御されて駆動部２６が駆動し、原稿取込部１２は原稿載置トレイ１１（図２）から原稿を取り込む（ステップＳ１０９，図１９）。読取制御部２１５は、駆動制御部２１３に駆動部２６を制御させて、原稿取込部１２が取り込んだ原稿を画像読取部１３に送り出させる（ステップＳ１１０）。
このとき、読取制御部２１５は、原稿を画像読取部１３に送り出すよう、駆動制御部２１３が駆動部２６を制御した回数をカウントする（カウント数を＋１）（ステップＳ１１１）。
【００９８】
次に、読取制御部２１５は、設定情報記憶部２３１に記憶されたデータを検索して（ステップＳ１１２）、カウント数と一致する読み飛ばし対象のページ番号があるか否かを判定する（ステップＳ１１３）。
カウント数と一致する読み飛ばし対象のページ番号があれば（ステップＳ１１３，あり）、読取制御部２１５は、設定情報記憶部２３１からそのページ番号の読み飛ばしページ設定情報を取得する（ステップＳ１１４）。そして、ステップＳ１１６の処理を行う。
一方、カウント数と一致する読み飛ばし対象のページ番号がなければ（ステップＳ１１３，なし）、読取制御部２１５は、設定情報記憶部２３１から基本スキャンページ設定情報を取得する（ステップＳ１１５）。そして、ステップＳ１１６の処理を行う。
【００９９】
次に、読取制御部２１５は、ステップＳ１１４で取得した読み飛ばしページ設定情報、またはステップＳ１１５で取得した基本スキャンページ設定情報に基づいて、画像読取部１３を制御して原稿を読み取らせる（スキャンを実行）（ステップＳ１１６）。
このステップＳ１１６の処理において、画像読取部１３が読み飛ばしページ設定情報に基づいて、原稿の該当する読み飛ばしエリアを読み飛ばしたとき、読取制御部２１５は、その読み飛ばしエリアのサイズの白画像データを生成する。
【０１００】
読取制御部２１５は、画像読取部１３が原稿を読み取って生成したスキャン画像データを、スキャンエリアごとに分割し（ステップＳ１１７）、スキャンエリアサイズの画像データを生成する。この処理により、１枚の原稿から分割数分の画像データが生成される。
このステップＳ１１７にて、読取制御部２１５は、読取順番に基づき、分割した画像データそれぞれに番号を付与する。
そして、読取制御部２１５は、分割後の画像データを画像データ記憶部２３３に記憶させる（ステップＳ１１８）。
【０１０１】
次に、読取制御部２１５は、設定情報記憶部２３１に記憶された設定情報を取得し、設定情報の「片面／両面」を判定する（ステップＳ１１９，図２０）。
ここで、設定情報が「片面」であれば（ステップＳ１１９，片面）、後記するステップＳ１２３の処理を行う。
一方、設定情報が「両面」であれば（ステップＳ１１９，両面）、読取制御部２１５は、原稿の表面および裏面の両面に対して読取処理を行い、画像読取部１３が両面を読み取ったか否かを判定する（ステップＳ１２０）。
原稿の両面を読み取っていれば（ステップＳ１２０，Ｙｅｓ）、後記するステップＳ１２３の処理を行う。
【０１０２】
一方、原稿の片面しか読み取っていなければ（ステップＳ１２０，Ｎｏ）、読取制御部２１５は、駆動制御部２１３を制御して、駆動部２６が原稿を裏返して画像読取部１３に送り出させる（ステップＳ１２１）。
このとき、読み飛ばし設定部２１４は、原稿を画像読取部１３に送り出すよう、駆動制御部２１３が駆動部２６を制御した回数をカウントする（カウント数を＋１）（ステップＳ１２２）。そして、ステップＳ１１３（図１９）の処理に戻る。
ここで、ステップＳ１２０の判定は、例えばカウント数を用いればよい。この場合、偶数であれば原稿の両面を読み取っており、奇数であれば原稿の片面しか読み取っていないこととなる。
【０１０３】
ステップＳ１１９の判定で「設定情報が片面」（ステップＳ１１９，片面）、またはステップＳ１２０の判定で「原稿の両面を読み取り済み」（ステップＳ１２０，Ｙｅｓ）であれば、読取制御部２１５は、駆動制御部２１３に駆動部２６を制御させて、原稿をスタッカ１４に排出させる（ステップＳ１２３）。
【０１０４】
次に、読取制御部２１５は、残原稿検知部２７から原稿取込完了信号を受信済みであるか否かで、原稿載置トレイ１１に原稿が残っているか否かを判定する（ステップＳ１２４）。
原稿取込完了信号を受信していなければ、原稿がまだ残っている（ステップＳ１２４，Ｙｅｓ）。そのため、読取制御部２１５は、ステップＳ１０９（図１９）の処理に戻り、駆動制御部２１３を制御して、原稿載置トレイ１１（図２）に残っている原稿を、原稿取込部１２に取り込ませる。
【０１０５】
一方、ステップＳ１２４の判定処理において、残原稿検知部２７から原稿取込完了信号を受信していれば、原稿載置トレイ１１に原稿が残っていない（ステップＳ１２４，Ｎｏ）、つまり、原稿載置トレイ１１（図２）にセットされた原稿を全て取り込んだこととなる。そのため、読取制御部２１５は読取処理を終了し、次に編集部２１６が編集処理を実行する（ステップＳ１２５）。
【０１０６】
《編集処理》
図２１は、編集部２１６が実行する編集処理のフローチャートである。この編集部２１６は、読取制御部２１５からの処理実行要求に応じて、編集処理を開始する。
まず、編集部２１６は、設定情報記憶部２３１に、読み飛ばし対象のページ番号が記憶されているか否かを判定する（ステップＳ２０１）。
【０１０７】
設定情報記憶部２３１に、読み飛ばし対象のページ番号が記憶されていなければ（ステップＳ２０１，Ｎｏ）、後記するステップＳ２０３の処理を行う。
一方、設定情報記憶部２３１に、読み飛ばし対象のページ番号が記憶されていれば（ステップＳ２０１，Ｙｅｓ）、画像データ記憶部２３３に記憶された一連の画像データには、白画像データが記憶されていることとなる。そのため、編集部２１６は、画像データ記憶部２３３に記憶された一連の画像データから、白画像データを削除する（ステップＳ２０２）。そして、ステップＳ２０３の処理を行う。
【０１０８】
編集部２１６は、画像データ記憶部２３３から一連の画像データを取得し（ステップＳ２０３）、次に、設定情報記憶部２３１から設定情報を取得し（ステップＳ２０４）、その設定情報に基づき、一連の画像データを再構成する（ステップＳ２０５）。そして、編集部２１６は、ファイル生成部２１７に処理を移行する。
【０１０９】
ファイル生成部２１７は、設定情報記憶部２３１に記憶された設定情報のファイル形式（ＰＤＦやＴＩＦＦ等）に基づき、再構成後の一連の画像データからファイルデータを生成し（ステップＳ２０６）、設定情報のファイル名が付けられて、ファイル記憶部２３４に記憶させる（ステップＳ２０７）。そして、編集処理（図２０のステップＳ１２５）を終了する。
【０１１０】
（ＳｃａｎＴｏＥｍａｉｌである場合）
ここで、図１８のステップＳ１０１にてＳＴＡＲＴキー４５が押下される前の設定操作が、ユーザによりＳｃａｎＴｏＥｍａｉｌキー４３２（図４）が押下されて、読み飛ばしページとそのエリアが設定されていた場合、ファイル生成部２１７は、ステップＳ２０７の後、電子メール生成部２１８に処理を移行する。
電子メール生成部２１８は、設定情報記憶部２３１から送信先メールアドレス（Ｔｏ，ＣＣ，Ｂｃｃ）や件名（Ｓｕｂｊｅｃｔ）の設定情報を取得して、それらの設定情報に基づき電子メールを生成する。さらに、ファイル記憶部２３４からファイルデータを取得して、その電子メールに添付する。そして、電子メールを通信制御部２１９に出力する。これにより通信部２８を介して、電子メールが送信される。
【０１１１】
また、読み飛ばしエリア等の情報を図２３に示すようにテキストデータにするテキストデータ生成部を備えてもよい。このテキストデータ生成部が生成したテキストデータを、電子メール生成部２１８が電子メールに添付することで、ユーザは読み飛ばされたエリアやページを確認することができる。例えば、図２３において、６ページ目の上半分（Upper）および下半分（Lower）が読み飛ばしエリアであるため、６ページ目は、読み飛ばしたページであることがわかる。この読み飛ばしたページの代わりに白画像データを生成してファイルデータを生成した場合、外部装置３にて電子メールを受信したユーザが、その電子メールに添付されたファイルデータ（一連の画像データ）を紙に印刷する必要がないのであれば、テキストデータを確認して、一連の画像データから白画像データのページを指定して削除することができる。
【０１１２】
（実施例）
例えば、図２２に示すように設定情報記憶部２３１に設定情報が記憶された状態で、原稿載置トレイ１１に載置された一連の原稿を読み取る場合について説明する。
設定情報として、スキャンモードが「ＳｃａｎＳｋｉｐモード」、用紙セット方向が「ＳＥＦ（縦送り）」、分割数が「２Ｕｐ（２分割）」、Ｓｉｄｅｓ（読み取る面）が「Ｓｉｎｇｌｅ（片面）」で設定されている。
【０１１３】
読み飛ばし設定部２１４は、設定情報記憶部２３１から用紙セット方向「ＳＥＦ」および分割数「２Ｕｐ」の設定情報を取得し、用紙セット方向を上下として原稿の上半分と下半分との２つのスキャンエリアを設定し（図１８，ステップＳ１０３）、基本スキャンページ設定情報を生成する（図１８，ステップＳ１０４）。
【０１１４】
設定情報記憶部２３１には、図２２に示すように、読み飛ばし対象のページ番号として２、４、５が記憶されているため、読み飛ばし設定部２１４は、それぞれのページ番号の読み飛ばしページ設定情報を生成する（図１８のステップＳ１０８）。
【０１１５】
読み飛ばし設定部２１４は、次のようにそれぞれのページ番号の読み飛ばしページ設定情報を生成する。
読み飛ばし設定部２１４は、設定情報記憶部２３１からページ番号「２」の読み飛ばしエリア「Ｌｏｗｅｒ」を取得し、基本スキャンページ設定情報の下半分のスキャンエリアを読み飛ばしエリアに設定した２ページ目の読み飛ばしページ設定情報を生成する。
【０１１６】
読み飛ばし設定部２１４は、設定情報記憶部２３１からページ番号「４」の読み飛ばしエリア「Ｕｐｐｅｒ」を取得し、基本スキャンページ設定情報の上半分のスキャンエリアを読み飛ばしエリアに設定した４ページ目の読み飛ばしページ設定情報を生成する。
読み飛ばし設定部２１４は、設定情報記憶部２３１からページ番号「５」の読み飛ばしエリア「Ｌｏｗｅｒ，Ｕｐｐｅｒ（つまり、Ｂｏｔｈ）」を取得し、基本スキャンページ設定情報の上半分および下半分のスキャンエリアを読み飛ばしエリアに設定した５ページ目の読み飛ばしページ設定情報を生成する。
【０１１７】
次に、読取制御部２１５が読取処理を実行する。
１枚目の原稿は、読み飛ばし対象のページ番号として記憶されていないため、読取制御部２１５は、基本スキャンページ設定情報を取得して（図１９のステップＳ１１５）、スキャンを実行する（図１９のステップＳ１１６）。これにより、１枚目の原稿の上半分を読み取った画像データ１−１と、１枚目の原稿の下半分を読み取った画像データ１−２とが画像データ記憶部２３３に記憶される（図１９，ステップＳ１１８）。
【０１１８】
２枚目の原稿は、読み飛ばし対象のページ番号として記憶されているため、読取制御部２１５は、２ページ目の読み飛ばしページ設定情報を取得して（図１９のステップＳ１１４）、スキャンを実行する（図１９のステップＳ１１６）。これにより、２枚目の原稿の上半分を読み取った画像データ２−１と、２枚目の原稿の下半分を読み飛ばしたことによる代わりの白画像データとが画像データ記憶部２３３に記憶される（図１９のステップＳ１１８）。
【０１１９】
３枚目の原稿は、読み飛ばし対象のページ番号として記憶されていないため、１枚目の原稿と同様の処理が行われる。これにより、３枚目の原稿の上半分を読み取った画像データ３−１と、３枚目の原稿の下半分を読み取った画像データ３−２とが画像データ記憶部２３３に記憶される（図１９のステップＳ１１８）。
【０１２０】
４枚目の原稿は、読み飛ばし対象のページ番号として記憶されているため、読取制御部２１５は、４ページ目の読み飛ばしページ設定情報を取得して（図１９のステップＳ１１４）、スキャンを実行する（図１９のステップＳ１１６）。これにより、４枚目の原稿の上半分を読み飛ばしたことによる代わりの白画像データと、４枚目の原稿の下半分を読み取った画像データ４−１とが画像データ記憶部２３３に記憶される（図１９のステップＳ１１８）。
【０１２１】
５枚目の原稿は、読み飛ばし対象のページ番号として記憶されているため、読取制御部２１５は、５ページ目の読み飛ばしページ設定情報を取得して（図１９のステップＳ１１４）、スキャンを実行する（図１９のステップＳ１１６）。これにより、５枚目の原稿の上半分を読み飛ばしたことによる代わりの白画像データと、５枚目の原稿の下半分を読み飛ばしたことによる代わりの白画像データとが画像データ記憶部２３３に記憶される（図１９のステップＳ１１８）。
【０１２２】
以上により、画像データ記憶部２３３には、画像データ１−１、画像データ１−２、画像データ２−１、白画像データ、画像データ３−１、画像データ３−２、白画像データ、画像データ４−１、白画像データ、白画像データが順番に記憶されている。
【０１２３】
次に編集部２１６が編集処理を実行する。
編集部２１６は、画像データ記憶部２３３から白画像データを削除する（図２１のステップＳ２０２）。これにより、編集部２１６が画像データ記憶部２３３から取得する一連の画像データは、画像データ１−１、画像データ１−２、画像データ２−１、画像データ３−１、画像データ３−２、画像データ４−１となる（図２１のステップＳ２０３）。
【０１２４】
さらに、編集部２１６は、設定情報に基づき一連の画像データを再構成する。この再構成により、１ページ目は、上半分に画像データ１−１、下半分に画像データ１−２が配置されたページデータが生成される。２ページ目は、上半分に画像データ２−１、下半分に画像データ３−１が配置されたページデータが生成される。３ページ目は、上半分に画像データ３−２、下半分に画像データ４−１が配置されたページデータが生成される（図２１のステップＳ２０５）。
このように、原稿載置トレイ１１に載置された５ページの原稿が、読み飛ばし機能を有する画像読取装置２により３ページに再構成（圧縮）される。
【０１２５】
《分割数が２より多い場合》
ユーザが表示入力部２５を操作して、読み飛ばしエリアを設定するまでの手順について、図５〜図１７を用いて分割数が２分割の場合について説明した。ここでは、分割数が４分割以上の場合について説明する。
図２４は、図１２の読取条件設定画面６３Ｂの代わりにタッチパネル４１に表示される読取条件設定画面６３Ｂａである。図２５は、図１６のＳｃａｎＳｋｉｐエリア指定ポップアップ画面６３Ｆの代わりにタッチパネル４１に表示されるＳｃａｎＳｋｉｐエリア指定ポップアップ画面６３Ｆａである。図２６は、図１７の読取条件設定画面６３Ｇの代わりにタッチパネル４１に表示される読取条件設定画面６３Ｇａである。
【０１２６】
（読取条件設定画面６３Ｂａ）
図２４の読取条件設定画面６３Ｂａの分割パターン表示欄６３１３には、分割数が４であることを示す「４Ｕｐ」と、原稿の一面を上下２分割および左右２分割する分割パターンとが示されている。
この読取条件設定画面６３Ｂａのウインドウ６３４０には、モード表示欄６３４１と、指定ページ表示欄６３４２と、指定ページ選択プルダウンキー６３４３と、ＳｋｉｐＡｒｅａ表示欄６３４４と、ＳｋｉｐＡｒｅａ変更キー６３４５と、Ａｄｄキー６３４６と、読取順番画像６３４７と、読取順番変更キー６３４８とが表示される。
ここで、モード表示欄６３４１と、指定ページ表示欄６３４２と、指定ページ選択プルダウンキー６３４３と、ＳｋｉｐＡｒｅａ表示欄６３４４と、ＳｋｉｐＡｒｅａ変更キー６３４５と、Ａｄｄキー６３４６とは、図１２の読取条件設定画面６３Ｂの説明で示したものと同様の機能なので説明を省略する。
【０１２７】
ＳｋｉｐＡｒｅａ変更キー６３４５または読取順番変更キー６３４８を押下することで、図２５のＳｃａｎＳｋｉｐエリア指定ポップアップ画面６３Ｆａが表示される。この画面についての詳細は後記する。
読取順番画像６３４７には、スキャンエリアの読取順番が表示される。ここでは、１番目に左上、２番目に右上、３番目に左下、４番目に右下の順番でスキャンエリアを読み取る読取順番が設定されている。
【０１２８】
（ＳｃａｎＳｋｉｐエリア指定ポップアップ画面６３Ｆａ）
図２５のＳｃａｎＳｋｉｐエリア指定ポップアップ画面６３Ｆａにて、読み飛ばし対象ページ番号と、そのページの読み飛ばしエリアとを設定することができる。
このＳｃａｎＳｋｉｐエリア指定ポップアップ画面６３Ｆａには、読み飛ばしページ入力表示欄６３８１と、読み飛ばしページ選択プルダウンキー６３８２と、読み飛ばしエリア選択キー６３８３と、Ａｄｄキー６３８７と、読取順番選択キー６３８８とが表示される。ここで、読み飛ばしページ入力表示欄６３８１と、読み飛ばしページ選択プルダウンキー６３８２と、Ａｄｄキー６３８７とは、図１６のＳｃａｎＳｋｉｐエリア指定ポップアップ画面６３Ｆの説明で示したものと同様の機能なので説明を省略する。
【０１２９】
読み飛ばしエリア選択キー６３８３が、Ａｌｌであれば、全てのスキャンエリアを読み飛ばすこととなる。破線枠内のＡ〜Ｄのスキャンエリアを選択することで、そのスキャンエリアを読み取らせることができる。
読取順番選択キー６３８８は、スキャンエリアの読取順番を指定することができる。ここでは、１番目に左上、２番目に右上、３番目に左下、４番目に右下の順番でスキャンエリアを読み取る読取順番設定と、１番目に左上、２番目に左下、３番目に右上、４番目に右下の順番でスキャンエリアを読み取る読取順番設定との何れか一方を選択できるように表示されている。
【０１３０】
（読取条件設定画面６３Ｇａ）
図２６の読取条件設定画面６３Ｇａは、図２５のＡｄｄキー６３８７が２回押下されて、読み飛ばしページが追加設定がされた状態であり、２ページ目、４ページ目、５ページ目の読み飛ばしページ設定情報が設定されている。図２６の読取条件設定画面６３Ｇａのウインドウ６３４０には、図１７に示す読取条件設定画面６３Ｇで示した情報の他に、ＳｃａｎＳｋｉｐエリア指定ポップアップ画面６３Ｆａ（図２５）で設定された読み取り順番の情報を示す読取順番表示欄６３４９と、読取順番変更キー６３５０とが表示される。。
【０１３１】
図２６の読取条件設定画面６３Ｇａでは、ＳｋｉｐＡｒｅａ表示欄６３４４および読取順番表示欄６３４９により、２ページ目のスキャンエリアＡ、スキャンエリアＣ、スキャンエリアＤを、１番目に左上、２番目に右上、３番目に左下、４番目に右下の順番でスキャンエリアを読み取る読取順番設定がされている。これにより、原稿の２ページ目は、１番目にスキャンエリアＡが読み取られ、２番目にスキャンエリアＢが読み飛ばされて（白画像データが生成され）、３番目にスキャンエリアＣが読み取られ、４番目にスキャンエリアＤが読み取られる。
【０１３２】
以上、本発明の実施形態について説明したが、本発明は前記した実施形態に限定されず、適宜変更して実施することが可能である。
例えば、画像読取装置２は、編集部２１６が再構成した一連の画像データ（図２１のステップＳ２０５）を用紙に印刷する画像形成部を備えてもよい。
また、本発明の実施形態において、分割パターンは等分としているが、予め分割パターンを設定してデフォルト情報記憶部２３２に記憶させておけばよい。
【０１３３】
画像読取装置２は、編集部２１６が再構成した一連の画像データを、画像形成部２９が用紙に印刷する機能を有してもよい。例えば、表示入力部２５からのコピー機能の実行要求を受けて、制御部２１は、画像読取部１３を制御して原稿を読み取らせ、画像データ記憶部２３３に画像読取部１３が読み取った画像データに画像処理を行う構成部である。
【０１３４】
また、本実施形態において、編集部２１６は、一連の画像データを再構成するときに、画像データ記憶部２３３に記憶された一連の画像データから白画像データを削除することとしたが、ユーザによる設定に応じて、白画像データを削除せずに一連の画像データを再構成してもよい。これにより、広告があった箇所（読み飛ばしエリア）を白紙とすることができる。
【符号の説明】
【０１３５】
２      画像読取装置
４      ネットワーク
１２    原稿取込部
１３    画像読取部
２１    制御部
２３    記憶部
２５    表示入力部
２６    駆動部
２７    残原稿検知部
２８    通信部
２９    画像形成部
２１１  設定入力処理部
２１２  画面制御部
２１３  駆動制御部
２１４  読み飛ばし設定部
２１５  読取制御部
２１６  編集部
２１７  ファイル生成部
２２８  電子メール生成部
２２９  通信制御部
２３１  設定情報記憶部
２３２  デフォルト情報記憶部
２３３  画像データ記憶部
２３４  ファイル記憶部
２３５  メールアドレス記憶部
【図１】
0005864365.tif 000002
【図２】
0005864365.tif 000003
【図３】
0005864365.tif 000004
【図４】
0005864365.tif 000005
【図５】
0005864365.tif 000006
【図６】
0005864365.tif 000007
【図７】
0005864365.tif 000008
【図８】
0005864365.tif 000009
【図９】
0005864365.tif 000010
【図１０】
0005864365.tif 000011
【図１１】
0005864365.tif 000012
【図１２】
0005864365.tif 000013
【図１３】
0005864365.tif 000014
【図１４】
0005864365.tif 000015
【図１５】
0005864365.tif 000016
【図１６】
0005864365.tif 000017
【図１７】
0005864365.tif 000018
【図１８】
0005864365.tif 000019
【図１９】
0005864365.tif 000020
【図２０】
0005864365.tif 000021
【図２１】
0005864365.tif 000022
【図２２】
0005864365.tif 000023
【図２３】
0005864365.tif 000024
【図２４】
0005864365.tif 000025
【図２５】
0005864365.tif 000026
【図２６】
0005864365.tif 000027